(57)【要約】【課題】観察者に違和感を与えることなく消費電力を低減する。【解決手段】画像データを記憶する記憶部１２と、前記画像データを表示させるための電圧が印加された場合に前記画像データに基づく画像を表示し、前記電圧の印加が終了した後において前記画像の表示を維持するメモリ性を有する表示部６と、前記表示部を駆動する駆動部２４と、前記表示部の表示を省電力で行う指示を入力する入力部２０とを備え、前記駆動部は、前記指示の入力が行われた場合、前記表示部の一部の領域に対して前記電圧を印加することにより前記一部の領域における表示内容の切換えを行う。【選択図】図２
2012233934.tif 000002
【特許請求の範囲】
【請求項１】
画像データを記憶する記憶部と、
前記画像データに基づく画像を表示させるための電圧が印加された場合に前記画像を表示し、前記電圧の印加が終了した後において前記画像の表示を維持するメモリ性を有する表示部と、
前記表示部を駆動する駆動部と、
前記表示部の表示を省電力で行う指示を入力する入力部と
を備え、
前記駆動部は、前記指示の入力が行われた場合、前記表示部の一部の領域に対して前記電圧を印加することにより前記一部の領域における表示内容の切換えを行うことを特徴とする画像表示装置。
【請求項２】
画像データを記憶する記憶部と、
前記画像データに基づく画像を表示させるための電圧が印加された場合に前記画像を表示し、前記電圧の印加が終了した後において前記画像の表示を維持するメモリ性を有する表示部と、
前記表示部を駆動する駆動部と、
前記表示部の表示を省電力で行う指示を入力する入力部と
を備え、
前記駆動部は、前記指示の入力が行われた場合、前記表示部に表示されている画像の切換え方法を変更することを特徴とする画像表示装置。
【請求項３】
前記駆動部は、前記画像の切換え時間の間隔を変更することを特徴とする請求項２記載の画像表示装置。
【請求項４】
前記駆動部は、前記画像の切換え回数を変更することを特徴とする請求項２記載の画像表示装置。
【請求項５】
バッテリと、
前記バッテリに関する情報を検出する検出部と
を備え、
前記入力部は、前記検出部における検出結果に基づいて前記指示を入力することを特徴とする請求項１〜４の何れか一項に記載の画像表示装置。
【請求項６】
前記検出部は、前記バッテリの残量を検出し、
前記入力部は、前記検出部において検出した前記バッテリの残量の値が所定の値よりも少ない場合に前記指示を入力することを特徴とする請求項５記載の画像表示装置。
【請求項７】
前記バッテリに対して電力を供給する給電部を備え、
前記検出部は、前記給電部から前記バッテリへの給電状況を検出し、
前記入力部は、前記給電状況に基づいて前記指示を入力することを特徴とする請求項５記載の画像表示装置。
【請求項８】
前記給電部は、外部電源又は太陽電池であることを特徴とする請求項７記載の画像表示装置。
【発明の詳細な説明】
【技術分野】
【０００１】
本発明は、画像表示装置に関するものである。
【背景技術】
【０００２】
従来、表示部において表示されている画像を更新する際の消費電力を低減する電気泳動表示装置が知られている（例えば、特許文献１参照）。この電気泳動表示装置によれば、画像更新時において表示部に対して印加する電圧の値を小さくすることにより、画像更新時の消費電力を低減することができる。
【先行技術文献】
【特許文献】
【０００３】
【特許文献１】特開２００９−２３７２７３号公報
【発明の概要】
【発明が解決しようとする課題】
【０００４】
しかし、上述の電気泳動表示装置においては、表示部に対して印加する電圧の値を小さくした場合、表示部に表示される画像の画質が悪くなるという問題があった。
【０００５】
本発明の目的は、観察者に違和感を与えることなく消費電力を低減することである。
【課題を解決するための手段】
【０００６】
本発明の画像表示装置は、画像データを記憶する記憶部と、前記画像データを表示させるための電圧が印加された場合に前記画像データに基づく画像を表示し、前記電圧の印加が終了した後において前記画像の表示を維持するメモリ性を有する表示部と、前記表示部を駆動する駆動部と、前記表示部の表示を省電力で行う指示を入力する入力部とを備え、前記駆動部は、前記指示の入力が行われた場合、前記表示部の一部の領域に対して前記電圧を印加することにより前記一部の領域における表示内容の切換えを行うことを特徴とする。
【０００７】
また、本発明の画像表示装置は、画像データを記憶する記憶部と、前記画像データに基づく画像を表示させるための電圧が印加された場合に前記画像を表示し、前記電圧の印加が終了した後において前記画像の表示を維持するメモリ性を有する表示部と、前記表示部を駆動する駆動部と、前記表示部の表示を省電力で行う指示を入力する入力部とを備え、前記駆動部は、前記指示の入力が行われた場合、前記表示部に表示されている画像の切換え方法を変更することを特徴とする。
【発明の効果】
【０００８】
本発明によれば、観察者に違和感を与えることなく消費電力を低減することができる。
【図面の簡単な説明】
【０００９】
【図１】第１の実施の形態に係る画像表示装置の前面を示す斜視図である。
【図２】第１の実施の形態に係る画像表示装置のシステム構成を示すブロック図である。
【図３】第１の実施の形態に係る画像表示装置の表示部における通電領域を示す図である。
【図４】第１の実施の形態に係る画像表示装置におけるバッテリの残量、時刻及び表示部において表示された画像を示す図である。
【図５】第１の実施の形態に係る画像表示装置におけるバッテリの残量、時刻及び表示部において表示された画像を示す図である。
【図６】第１の実施の形態に係る画像表示装置におけるバッテリの残量、時刻及び表示部において表示された画像を示す図である。
【図７】第１の実施の形態に係る画像表示装置におけるバッテリの残量、時刻及び表示部において表示された画像を示す図である。
【図８】第１の実施の形態に係る画像表示装置におけるバッテリの残量、時刻及び表示部において表示された画像を示す図である。
【図９】第１の実施の形態に係る画像表示装置におけるバッテリの残量、時刻及び表示部において表示された画像を示す図である。
【図１０】第１の実施の形態に係る画像表示装置におけるバッテリの残量、時刻及び表示部において表示された画像を示す図である。
【図１１】第１の実施の形態に係る画像表示装置におけるバッテリの残量、時刻及び表示部において表示された画像を示す図である。
【図１２】第２の実施の形態に係る画像表示装置におけるバッテリの残量、時刻及び表示部において表示された画像を示す図である。
【図１３】第２の実施の形態に係る画像表示装置におけるバッテリの残量、時刻及び表示部において表示された画像を示す図である。
【図１４】第２の実施の形態に係る画像表示装置におけるバッテリの残量、時刻及び表示部において表示された画像を示す図である。
【図１５】第２の実施の形態に係る画像表示装置におけるバッテリの残量、時刻及び表示部において表示された画像を示す図である。
【図１６】第２の実施の形態に係る画像表示装置におけるバッテリの残量、時刻及び表示部において表示された画像を示す図である。
【図１７】第２の実施の形態に係る画像表示装置におけるバッテリの残量、時刻及び表示部において表示された画像を示す図である。
【図１８】第２の実施の形態に係る画像表示装置におけるバッテリの残量、時刻及び表示部において表示された画像を示す図である。
【図１９】第３の実施の形態に係る画像表示装置におけるバッテリの残量、時刻及び表示部において表示された画像を示す図である。
【図２０】第３の実施の形態に係る画像表示装置におけるバッテリの残量、時刻及び表示部において表示された画像を示す図である。
【図２１】第３の実施の形態に係る画像表示装置におけるバッテリの残量、時刻及び表示部において表示された画像を示す図である。
【図２２】第３の実施の形態に係る画像表示装置におけるバッテリの残量、時刻及び表示部において表示された画像を示す図である。
【図２３】第３の実施の形態に係る画像表示装置におけるバッテリの残量、時刻及び表示部において表示された画像を示す図である。
【図２４】第４の実施の形態に係る画像表示装置におけるバッテリの残量、時刻及び表示部において表示された画像を示す図である。
【図２５】第４の実施の形態に係る画像表示装置におけるバッテリの残量、時刻及び表示部において表示された画像を示す図である。
【図２６】第４の実施の形態に係る画像表示装置におけるバッテリの残量、時刻及び表示部において表示された画像を示す図である。
【図２７】第４の実施の形態に係る画像表示装置におけるバッテリの残量、時刻及び表示部において表示された画像を示す図である。
【図２８】第４の実施の形態に係る画像表示装置におけるバッテリの残量、時刻及び表示部において表示された画像を示す図である。
【発明を実施するための形態】
【００１０】
以下、図面を参照して本発明の第１の実施の形態に係る画像表示装置について説明する。図１は、本発明の第１の実施の形態に係る画像表示装置の外観を示す斜視図である。画像表示装置２は、ガラスやプラスチック等からなる装置本体４を備え、装置本体４の前面には、所定の電圧が印加された場合に画像を表示する、メモリ性を有する表示部６（例えば、透明な液体と粒子が封入された複数のマイクロカプセルを含む電気泳動素子により画像を表示する電気泳動型の電子ペーパ等）を備えている。ここで、表示部６はメモリ性を有するため、電圧が印加されない場合においても表示部６に表示されている画像をそのまま表示し続けることができる。
【００１１】
装置本体４の上面には、画像表示装置２の電源のオン／オフを切換える電源スイッチ８、表示部６において画像をスライドショー表示させるスライドショーボタン１０が設けられている。また、装置本体４の一方の側面には、画像データが記憶されたメモリカード１２が挿入されるメモリカードスロット１４が設けられている。
【００１２】
図２は、第１の実施の形態に係る画像表示装置２のシステム構成を示すブロック図である。画像表示装置２は、画像表示装置２の各部を統括的に制御するＣＰＵ２０を備えている。ＣＰＵ２０には、上述の電源スイッチ８及びスライドショーボタン１０を備える操作部２２、表示部６を駆動する駆動部２４、表示部６においてスライドショー表示を実行するためのプログラム等を格納するＲＯＭ２８、画像データを一時的に記憶するＲＡＭ３０、表示部６において表示する画像の画像データを格納するＶＲＡＭ３２、画像データを記憶するメモリカード１２を着脱するメモリカードスロット１４、バッテリ３４から各部への電力の供給を制御する電源制御部３６、外部機器との間で画像データ等の送受信を行う無線通信部３８が接続されている。
【００１３】
図３は、第１の実施の形態に係る画像表示装置２の表示部６において電圧が印加される通電領域を示す図である。表示部６は、通電領域４０、通電領域４２、通電領域４４及び通電領域４６の４箇所の通電領域に区分されており、ＣＰＵ２０は、表示部６における表示内容を切換える場合、駆動部２４により、表示内容を切換える対象となる通電領域に対して所定の電圧を印加する。例えば、通常のスライドショー表示を行う通常表示モードにおいて表示部６に表示されている画像を次の画像に切換える場合、ＣＰＵ２０は、駆動部２４により、全ての通電領域に対して次の画像を表示するための所定の電圧を印加する。また、少ない消費電力でスライドショー表示を行う節電表示モードにおいて表示部６における表示内容を切換える場合、一部の通電領域に対して所定の電圧を印加する。例えば、通電領域４０に表示されている画像を次の画像に切換える場合、ＣＰＵ２０は、駆動部２４により、通電領域４０に対して次の画像を表示するための所定の電圧を印加する。
【００１４】
次に、図面を参照して第１の実施の形態に係る画像表示装置２の処理について説明する。まず、電源スイッチ８が押下されて電源がオンにされると、ＣＰＵ２０は、電源制御部３６を介してバッテリ３４の残量の検出を開始し、バッテリ３４の残量の値が所定の値（例えば、満充電時の３割）以上であるか否かを判定する。バッテリ３４の残量の値が所定の値以上である場合（図４の上段に示す図参照）、ＣＰＵ２０は、画像表示装置２の表示モードを通常表示モードに設定する。
【００１５】
ここで、操作者によりスライドショーボタン１０が押下されると、ＣＰＵ２０は、メモリカード１２に記憶されている画像データの中から最初に表示部６において表示する画像の画像データ、例えば、ファイル名「００１」の画像データを読み出して一旦ＲＡＭ３０に記憶し、この画像データをＲＡＭ３０から読み出してＶＲＡＭ３２に書き込む。次に、ＣＰＵ２０は、駆動部２４により、表示部６に対してこの画像データに基づく画像を表示するための所定の電圧を印加し、例えば、図４の下段に示す図のように、ファイル名「００１」の画像データに基づく画像５０を表示部６において表示する（現在時刻００：００）。ここで、スライドショー表示において一つの画像を表示する単位時間を１分間とする。
【００１６】
次に、表示部６において最初に画像が表示された時から単位時間である１分が経過すると（現在時刻０１：００、図５参照）、ＣＰＵ２０は、メモリカード１２から次に表示する画像の画像データ、例えば、ファイル名「００２」の画像データを読み出し、一旦ＲＡＭ３０に記憶した後ＶＲＡＭ３２に書き込む。次に、ＣＰＵ２０は、駆動部２４により表示部６の全ての通電領域に対してこの画像データを表示するための所定の電圧を印加し、例えば、図５の下段に示す図のように、表示部６において表示している画像５０をファイル名「００２」の画像データに基づく画像５２に切換える。
【００１７】
ここで、バッテリ３４の残量が低下し、バッテリ３４の残量の値が所定の値よりも少なくなった場合（図６の上段に示す図参照）、ＣＰＵ２０は、画像表示装置２の表示モードを通常表示モードから節電表示モードに切換える。
【００１８】
次に、通常表示モードにおいて最後に画像の切換えが行われた時（現在時刻０１：００、図５参照）から単位時間である１分が経過すると（現在時刻０２：００、図７参照）、ＣＰＵ２０は、メモリカード１２から表示部６において表示する次の画像データとして、例えば、ファイル名「００３」、「００４」、「００５」、及び「００６」の４つの画像データを読み出し、これらの画像データを一旦ＲＡＭ３０に記憶した後ＶＲＡＭ３２の所定の領域に書き込む。例えば、ファイル名「００３」の画像データをＶＲＡＭ３２における通電領域４０（図３参照）に対応する領域に書き込む。同様にして、ファイル名「００４」の画像データを通電領域４２に対応する領域に、ファイル名「００５」の画像データを通電領域４４に対応する領域に、ファイル名「００６」の画像データを通電領域４６に対応する領域にそれぞれ書き込む。
【００１９】
次に、ＣＰＵ２０は、駆動部２４により、表示部６に対してこれらの複数の画像データに基づく画像を表示するための所定の電圧を印加し、例えば、図７の下段に示す図のように、表示部６において表示している画像５２を、画像５４、画像５６、画像５８、及び画像６０の４つの画像に切換える。
【００２０】
次に、単位時間である１分が経過すると（現在時刻０３：００、図８参照）、ＣＰＵ２０は、表示部６において表示されている複数の画像のうちの一つの画像の切換えを行う。例えば、ＣＰＵ２０は、メモリカード１２からからファイル名「００７」の画像データを読み出して一旦ＲＡＭ３０に記憶した後ＶＲＡＭ３２における通電領域４０（図３参照）に対応する領域に書き込む。
【００２１】
次に、ＣＰＵ２０は、駆動部２４により、表示部６の通電領域４０に対してこの画像データに基づく画像を表示するための所定の電圧を印加し、例えば、図８の下段に示す図のように、表示部６の通電領域４０に表示している画像５４をファイル名「００７」の画像データに基づく画像６２に切換える。ここで、駆動部２４は、通電領域４２、通電領域４４、及び通電領域４６（図３参照）に対しては電圧を印加しないため、表示部６の有するメモリ性により、通電領域４２に表示されている画像５６、通電領域４４に表示されている画像５８、及び通電領域４６に表示されている画像６０は、継続して表示される。
【００２２】
次に、単位時間である１分が経過すると（現在時刻０４：００、図９参照）、ＣＰＵ２０は、通電領域４０（図３参照）に隣接する通電領域４２において表示されている画像の切換えを行う。例えば、ＣＰＵ２０は、メモリカード１２からファイル名「００８」の画像データを読み出し、ＶＲＡＭ３２における通電領域４２に対応する領域に書き込む。
【００２３】
次に、ＣＰＵ２０は、駆動部２４により、表示部６の通電領域４２に対してこの画像データに基づく画像を表示するための所定の電圧を印加し、例えば、図９の下段に示す図のように、表示部６の通電領域４２に表示している画像５６をファイル名「００８」の画像データに基づく画像６４に切換える。ここで、ＣＰＵ２０は、通電領域４０、通電領域４４及び通電領域４６（図３参照）に対しては電圧を印加しないため、通電領域４０に表示されている画像６２、通電領域４４に表示されている画像５８、及び通電領域４６に表示されている画像６０は、継続して表示される。
【００２４】
その後、バッテリ３４が充電され、バッテリ３４の残量の値が所定の値以上に回復した場合（図１０の上段に示す図参照）、ＣＰＵ２０は、画像表示装置２の表示モードを節電表示モードから通常表示モードに復帰させる。
【００２５】
次に、節電表示モードにおいて最後に表示部６において画像が表示された時（現在時刻０４：００、図９参照）から単位時間である１分が経過すると（現在時刻０５：００、図１１参照）、ＣＰＵ２０は、メモリカード１２から次に表示する画像の画像データ、例えば、ファイル名「００９」の画像データを読み出し、ＶＲＡＭ３２に書き込む。
【００２６】
次に、ＣＰＵ２０は、駆動部２４により、表示部６の全ての通電領域に対してこの画像データを表示するための所定の電圧を印加し、例えば、図１１の下段に示す図のように、表示部６において表示している画像６２、画像６４、画像５８、及び画像６０をファイル名「００９」の画像データに基づく画像６６に切換える。
【００２７】
この第１の実施の形態に係る画像表示装置２によれば、バッテリ３４の残量が低下した場合において、表示部６の一部の通電領域に電圧を印加し、この通電領域に表示されている画像を切換えるため、メモリ性を有する表示部を備えた画像表示装置において、観察者に違和感を与えることなく消費電力を低減することができる。
【００２８】
次に、第２の実施の形態に係る画像表示装置の処理について説明する。この第２の実施の形態に係る画像表示装置は、第１の実施の形態の表示部６における複数の通電領域（図３参照）を単一の通電領域としたものである。従って、第２の実施の形態では、第１の実施の形態と異なる部分について詳細に説明し、その他の重複する部分については適宜説明を省略する。
【００２９】
まず、電源がオンにされると、ＣＰＵ２０は、電源制御部３６を介してバッテリ３４の残量の検出を開始し、バッテリ３４の残量の値が所定の値以上である場合（図１２の上段に示す図参照）、ＣＰＵ２０は、画像表示装置の表示モードを通常表示モードに設定する。なお、通常表示モードにおいては、スライドショー表示において一つの画像を表示する単位時間を３０秒間とする。
【００３０】
ここで、操作者によりスライドショーボタン１０が押下されると、ＣＰＵ２０は、メモリカード１２から最初に表示部６において表示する画像の画像データ、例えば、ファイル名「００１」の画像データを読み出して一旦ＲＡＭ３０に記憶した後ＶＲＡＭ３２に書き込む。
【００３１】
次に、ＣＰＵ２０は、駆動部２４により表示部６に対してこの画像データを表示するための所定の電圧を印加し、例えば、図１２の下段に示す図のように、ファイル名「００１」の画像データに基づく画像５０を表示する（現在時刻００：００）。
【００３２】
次に、単位時間である３０秒が経過すると（現在時刻００：３０、図１３参照）、ＣＰＵ２０は、メモリカード１２から次に表示する画像の画像データ、例えば、ファイル名「００２」の画像データを読み出してＶＲＡＭ３２に書き込む。次に、ＣＰＵ２０は、駆動部２４により表示部６に対してこの画像データを表示するための所定の電圧を印加し、例えば、図１３の下段に示す図のように、表示部６において表示している画像５０をファイル名「００２」の画像データに基づく画像５２に切換える。
【００３３】
ここで、バッテリ３４の残量が低下し、バッテリ３４の残量の値が所定の値よりも少なくなった場合（図１４の上段に示す図）、ＣＰＵ２０は、画像表示装置の表示モードを通常表示モードから節電表示モードに切換え、スライドショー表示において画像を切換える時間の間隔（即ち単位時間）を３０秒間から１分間に変更する。
【００３４】
節電表示モードにおいてＣＰＵ２０は、通常表示モードにおいて最後に画像の切換えが行われた時（現在時刻００：３０、図１３参照）から通常表示モードの単位時間である３０秒を経過しても画像の切換えを行わず（現在時刻０１：００、図１５参照）、通常表示モードにおいて最後に画像の切換えが行われた時（現在時刻００：３０、図１３参照）から節電表示モードの単位時間である１分を経過した時（現在時刻０１：３０、図１６参照）に次の画像への切換えを行う。例えば、図１６の下段に示す図のように、表示部６において表示している画像５２をファイル名「００３」の画像データに基づく画像５４に切換える。
【００３５】
その後、バッテリ３４が充電され、バッテリ３４の残量の値が所定の値以上に回復した場合（図１７の上段に示す図）、ＣＰＵ２０は、画像表示装置の表示モードを節電表示モードから通常表示モードに復帰させ、節電表示モードにおいて最後に画像の切換えが行われた時（現在時刻０１：３０、図１６参照）から通常表示モードの単位時間である３０秒を経過すると（現在時刻０２：００、図１８参照）、表示部６において表示している画像を、例えば、図１８の下段に示す図のように、画像５４から次の画像である画像５６に切換える。
【００３６】
この第２の実施の形態に係る画像表示装置によれば、バッテリ３４の残量が低下した場合において、スライドショー表示において画像を切換える時間の間隔を変更することにより、メモリ性を有する表示部を備えた画像表示装置において、観察者に違和感を与えることなく消費電力を低減することができる。
【００３７】
次に、第３の実施の形態に係る画像表示装置の処理について説明する。この第３の実施の形態に係る画像表示装置は、第１の実施の形態の表示部６における複数の通電領域（図３参照）を単一の通電領域としたものである。従って、第３の実施の形態では、第１の実施の形態と異なる部分について詳細に説明し、その他の重複する部分については適宜説明を省略する。
【００３８】
まず、バッテリ３４の残量の値が所定の値以上である場合において（図１９の上段に示す図参照）、スライドショーボタン１０が押下されると、ＣＰＵ２０は、画像表示装置の表示モードを通常表示モードに設定する。なお、通常表示モードにおいては、スライドショー表示において一つの画像を表示する単位時間を２０秒間とする。
【００３９】
ここで、操作者によりスライドショーボタン１０が押下されると、ＣＰＵ２０は、メモリカード１２から、例えば、ファイル名「０１１」の画像データを読み出してＲＡＭ３０に記憶する。
【００４０】
次に、ＣＰＵ２０は、ＲＡＭ３０に記憶されたファイル名「０１１」の画像データに基づいて、画像７０（図１９の下段左側の図参照）を表示部６において表示するための画像データをＶＲＡＭ３２に書き込む。次に、駆動部２４により、表示部６に対して所定の電圧を印加し、ファイル名「０１１」の画像データに基づく最初の画像７０を表示する（現在時刻００：００、図１９参照）。
【００４１】
次に、単位時間である２０秒が経過すると（現在時刻００：２０）、ＣＰＵ２０は、ＲＡＭ３０に記憶されているファイル名「０１１」の画像データに基づいて、画像をズームして表示する画像処理を行うことにより、画像７２（図１９の下段中の図参照）を表示部６において表示するための画像データを生成する。次に、ＣＰＵ２０は、生成した画像データをＶＲＡＭ３２に書き込み、画像７０をファイル名「０１１」の画像データに基づく次の画像７２に切換える。
【００４２】
さらに単位時間である２０秒が経過すると（現在時刻００：４０）、ＣＰＵ２０は、ファイル名「０１１」の画像データに基づいて、ズーム倍率を上げて画像処理を行うことにより、画像７４（図１９の下段右の図参照）を表示部６において表示するための画像データを生成する。次に、ＣＰＵ２０は、生成した画像データをＶＲＡＭ３２に書き込み、画像７２をファイル名「０１１」の画像データに基づく最後の画像７４に切換える。このように、第３の実施の形態においては、順次ズーム倍率を上げて表示部６において表示されている画像を切換えて行く処理を行う。
【００４３】
ここで、図２０の上段に示す図のようにバッテリ３４の残量の値が所定の値よりも少なくなった場合、ＣＰＵ２０は、画像表示装置の表示モードを通常表示モードから節電表示モードに切換え、前回表示していた画像から今回表示する画像へ表示を切換える際の画像の切換え回数及び切換え時間間隔を変更する。例えば、一つの画像データに基づいて表示部６において表示する画像の数を３つから２つに変更し、一つの画像を表示部６において表示する単位時間を２０秒間から３０秒間に変更する。
【００４４】
節電表示モードが設定された場合、ＣＰＵ２０は、通常表示モードにおいて最後に画像の切換えが行われた時（現在時刻００：４０）から節電表示モードの単位時間である３０秒が経過すると（現在時刻０１：１０、図２１参照）、次の画像への切換えを行う。例えば、ＣＰＵ２０は、メモリカード１２から次の画像データであるファイル名「０１２」の画像データを読み出してＲＡＭ３０に記憶し、ファイル名「０１２」の画像データに基づいて、画像７６（図２１の下段左側の図参照）を表示部６において表示するための画像データをＶＲＡＭ３２に書き込み、ファイル名「０１２」の画像データに基づく最初の画像７６を表示する。
【００４５】
次に、さらに単位時間である３０秒が経過すると（現在時刻０１：４０）、ＣＰＵ２０は、ＲＡＭ３０に記憶されているファイル名「０１２」の画像データに基づいて、画像をズームして表示する画像処理を行うことにより、画像７８（図２１の下段右の図参照）を表示部６において表示するための画像データを生成する。次に、ＣＰＵ２０は、生成した画像データをＶＲＡＭ３２に書き込み、画像７６をファイル名「０１２」の画像データに基づく最後の画像７８に切換える。なお、節電表示モードが維持されている間、ＣＰＵ２０は、最初の画像を表示部６において表示してから３０秒が経過すると、この画像を同じ画像データに基づく最後の画像に切換え、さらに３０秒が経過すると次の画像データに基づく最初の画像に切換えるという処理を繰り返す。
【００４６】
その後、図２２の上段に示す図のようにバッテリ３４の残量の値が所定の値以上に回復した場合、ＣＰＵ２０は、表示モードを通常表示モードに復帰させる（図２２の下段に示す図参照）。そして、節電表示モードにおいて最後に画像の切換えが行われた時（現在時刻０１：４０）から通常表示モードの単位時間である２０秒を経過すると（現在時刻０２：００、図２３参照）、ＣＰＵ２０は、表示部６において表示している画像を次の画像へ切換える。例えば、ＣＰＵ２０は、メモリカード１２から次の画像データであるファイル名「０１３」の画像データを読み出してＲＡＭ３０に記憶し、ファイル名「０１３」の画像データに基づいて、画像８０（図２３の下段左側の図参照）を表示部６において表示するための画像データをＶＲＡＭ３２に書き込み、ファイル名「０１３」の画像データに基づく最初の画像８０を表示する。
【００４７】
次に、通常表示モードの単位時間である２０秒が経過すると（現在時刻０２：２０）、ＣＰＵ２０は、ＲＡＭ３０に記憶されているファイル名「０１３」の画像データに基づいて、画像をズームして表示する画像処理を行うことにより、画像８２（図２３の下段中の図参照）を表示部６において表示するための画像データを生成する。次に、ＣＰＵ２０は、生成した画像データをＶＲＡＭ３２に書き込み、画像８０を画像８２に切換える。
【００４８】
さらに単位時間である２０秒が経過すると（現在時刻０２：４０）、ＣＰＵ２０は、ファイル名「０１３」の画像データに基づいて、ズーム倍率を上げて画像処理を行うことにより、画像８４（図２３の下段右の図参照）を表示部６において表示するための画像データを生成する。次に、ＣＰＵ２０は、生成した画像データをＶＲＡＭ３２に書き込み、画像８２を画像８４に切換える。
【００４９】
この第３の実施の形態に係る画像表示装置によれば、バッテリ３４の残量が低下した場合において、前回表示していた画像から今回表示する画像へ表示を切換える際の画像の切換え回数及び切換え時間間隔を変更することにより、メモリ性を有する表示部を備えた画像表示装置において、観察者に違和感を与えることなく消費電力を低減することができる。
【００５０】
次に、第４の実施の形態に係る画像表示装置の処理について説明する。この第４の実施の形態に係る画像表示装置は、第１の実施の形態の表示部６における複数の通電領域（図３参照）を単一の通電領域としたものである。従って、第４の実施の形態では、第１の実施の形態と異なる部分について詳細に説明し、その他の重複する部分については適宜説明を省略する。
【００５１】
まず、バッテリ３４の残量の値が所定の値以上である場合において（図２４の上段に示す図参照）、スライドショーボタン１０が押下されると、ＣＰＵ２０は、画像表示装置の表示モードを通常表示モードに設定する。なお、通常表示モードにおいては、スライドショー表示において一つの画像を表示する単位時間を２０秒間とする。
【００５２】
ここで、操作者によりスライドショーボタン１０が押下されると、ＣＰＵ２０は、メモリカード１２から、例えば、ファイル名「０２０」の画像データ、及びファイル名「０２１」の画像データを読み出してＲＡＭ３０に記憶する。
【００５３】
次に、ＣＰＵ２０は、ＲＡＭ３０に記憶された、ファイル名「０２０」の画像データ、及びファイル名「０２１」の画像データに基づいて、画像９０（図２４の下段左側の図参照）を表示部６において表示するための画像データをＶＲＡＭ３２に書き込む。次に、駆動部２４により、表示部６に対して所定の電圧を印加し、ファイル名「０２０」の画像データ、及びファイル名「０２１」の画像データに基づく最初の画像９０を表示する（現在時刻００：００、図２４参照）。
【００５４】
次に、単位時間である２０秒が経過すると（現在時刻００：２０）、ＣＰＵ２０は、ＲＡＭ３０に記憶されている、ファイル名「０２０」の画像データ、及びファイル名「０２１」の画像データに基づいて、画像９２（図２４の下段中の図参照）を表示部６において表示するための画像データをＶＲＡＭ３２に書き込み、画像９０をファイル名「０２０」の画像データ、及びファイル名「０２１」の画像データに基づく次の画像９２に切換える。
【００５５】
さらに単位時間である２０秒が経過すると（現在時刻００：４０）、ＣＰＵ２０は、ファイル名「０２１」の画像データに基づいて、画像９４（図２４の下段右の図参照）を表示部６において表示するための画像データをＶＲＡＭ３２に書き込み、画像９２をファイル名「０２１」の画像データに基づく画像９４に切換える。このように、第４の実施の形態においては、表示部６において表示されている画像を側面から段階的に切換えて行く処理を行う。
【００５６】
ここで、図２５の上段に示す図のようにバッテリ３４の残量の値が所定の値よりも少なくなった場合、ＣＰＵ２０は、画像表示装置の表示モードを通常表示モードから節電表示モードに切換え、前回表示していた画像から今回表示する画像へ表示を切換える際の画像の切換え回数及び切換え時間間隔を変更する。例えば、一つの画像データに基づいて表示部６において表示する画像の数を３つから２つに変更し、一つの画像を表示部６において表示する単位時間を２０秒間から３０秒間に変更する。
【００５７】
節電表示モードが設定された場合、ＣＰＵ２０は、通常表示モードにおいて最後に画像の切換えが行われた時（現在時刻００：４０）から節電表示モードの単位時間である３０秒が経過すると（現在時刻０１：１０、図２６参照）、次の画像への切換えを行う。例えば、ＣＰＵ２０は、メモリカード１２から次の画像データであるファイル名「０２２」の画像データを読み出してＲＡＭ３０に記憶し、ファイル名「０２１」の画像データ、及びファイル名「０２２」の画像データに基づいて、画像９６（図２６の下段左側の図参照）を表示部６において表示するための画像データをＶＲＡＭ３２に書き込み、ファイル名「０２１」の画像データ、及びファイル名「０２２」の画像データに基づく画像９６を表示する。
【００５８】
次に、さらに単位時間である３０秒が経過すると（現在時刻０１：４０）、ＣＰＵ２０は、ＲＡＭ３０に記憶されている、ファイル名「０２２」の画像データに基づいて、画像９８（図２６の下段右の図参照）を表示部６において表示するための画像データをＶＲＡＭ３２に書き込み、画像９６をファイル名「０２２」の画像データに基づく画像９８に切換える。なお、節電表示モードが維持された場合、ＣＰＵ２０は、画像９８を表示部６において表示してから３０秒が経過すると、画像９８をファイル名「０２２」、及びファイル名「０２３」の画像データに基づく画像に切換え、さらに３０秒が経過すると、この画像をファイル名「０２３」の画像データに基づく画像に切換えるという処理を継続し、その後も同様の処理を繰り返す。
【００５９】
その後、図２７の上段に示す図のようにバッテリ３４の残量の値が所定の値以上に回復した場合、ＣＰＵ２０は、表示モードを通常表示モードに復帰させる（図２７の下段に示す図参照）。そして、節電表示モードにおいて最後に画像の切換えが行われた時（現在時刻０１：４０）から通常表示モードの単位時間である２０秒を経過すると（現在時刻０２：００、図２８参照）、ＣＰＵ２０は、表示部６において表示している画像を次の画像へ切換える。例えば、ＣＰＵ２０は、メモリカード１２から次の画像データであるファイル名「０２３」の画像データを読み出してＲＡＭ３０に記憶し、ファイル名「０２２」の画像データ、及びファイル名「０２３」の画像データに基づいて、画像１００（図２８の下段左側の図参照）を表示部６において表示するための画像データをＶＲＡＭ３２に書き込み、画像１００を表示する。
【００６０】
次に、通常表示モードの単位時間である２０秒が経過すると（現在時刻０２：２０）、ＣＰＵ２０は、ＲＡＭ３０に記憶されている、ファイル名「０２２」の画像データ、及びファイル名「０２３」の画像データに基づいて、画像１０２（図２８の下段中の図参照）を表示部６において表示するための画像データをＶＲＡＭ３２に書き込み、画像１００を画像１０２に切換える。
【００６１】
さらに単位時間である２０秒が経過すると（現在時刻０２：４０）、ＣＰＵ２０は、ファイル名「０２３」の画像データに基づいて、画像１０４（図２８の下段右の図参照）を表示部６において表示するための画像データをＶＲＡＭ３２に書き込み、画像１０２を画像１０４に切換える。
【００６２】
この第４の実施の形態に係る画像表示装置によれば、バッテリ３４の残量が低下した場合において、前回表示していた画像から今回表示する画像へ表示を切換える際の画像の切換え回数及び切換え時間間隔を変更することにより、メモリ性を有する表示部を備えた画像表示装置において、観察者に違和感を与えることなく消費電力を低減することができる。
【００６３】
また上述の各実施の形態においては、節電表示モードにおける表示態様を通常表示モードにおける表示態様と異ならせることにより操作者にバッテリ残量の減少を知らせることができる。
【００６４】
また上述の各実施の形態においては、節電表示モード時においても表示部に対して印加する電圧の値が変わらないため、画質を低下させることなく消費電力を低減することができる。
【００６５】
なお、第１の実施の形態の節電表示モードにおいて、図８の下段左側に示すように、通電領域４０（図３参照）に画像５４、通電領域４２に画像５６、通電領域４４に画像５８、通電領域４６に画像６０がそれぞれ表示され、単位時間が経過した場合、ＣＰＵ２０は、次の４つの画像データである画像６２の画像データ、画像６４の画像データ、及びそれに続く２つの画像データをＲＡＭ３０から読み出してＶＲＡＭ３２に上書し、表示部６において画像５４が表示されている通電領域４０に電圧を印加し、画像５４を画像６２に切換えるようにしてもよい（図８の下段右側に示す図参照）。ここで、ＣＰＵ２０は、他の通電領域には電圧を印加しないため、表示部６の有するメモリ性により画像５６、画像５８、及び画像６０は継続して表示される。さらに、単位時間が経過した場合、ＣＰＵ２０は、表示部６において画像５６が表示されている通電領域４２に電圧を印加することにより、画像５６を画像６４に切換える（図９の下段右側に示す図参照）。以後、同様にして残りの２つの画像を切換える。４つの画像の切換えが終了してから単位時間が経過した場合、ＣＰＵ２０は、次の４つの画像データをＲＡＭ３０から読み出してＶＲＡＭ３２に上書きし、順次各通電領域において画像を切換える。
【００６６】
また、上述の実施の形態においては、バッテリ３４の残量の値が所定の値以上であるか否かを判定することにより画像表示装置の表示モードを切換える場合を例に説明しているが、他の方法により表示モードの切換えを行ってもよい。例えば、節電表示モードにおいて画像表示装置にＡＣアダプタが接続され、ＡＣアダプタによりバッテリ３４に充電が行われたとする。この場合、ＣＰＵ２０は、ＡＣアダプタからバッテリ３４に充電が行われたか否かを検出し、充電が行われた場合に通常表示モードへの切換えを行うようにしてもよい。また、バッテリ３４に充電を行う太陽電池を備え、太陽電池が十分発電している場合、例えば、節電表示モードにおいて、太陽電池からバッテリ３４に対する単位時間当たりの電力の供給量が、通常表示モードで画像を切換えるために必要とされる単位時間当たりの電力よりも大きい場合に通常表示モードへの切換えを行うようにしてもよい。
【００６７】
また、上述の実施の形態において、節電表示モードへの切換えを行う節電表示モードボタンを備え、操作者により節電表示モードボタンが操作された時に節電表示モードへの切換えを行うようにしてもよい。
【００６８】
また、第１の実施の形態においては、表示部６の通電領域が４箇所に区分されている場合を例に説明しているが、通電領域は複数であれば４箇所に限定されない。
【００６９】
また、上述の実施の形態においては、表示部６において表示する画像の画像データメモリカード１２から読み出す場合を例に説明しているが、無線通信部３８により外部機器から画像データを受信し、受信した画像データに基づく画像を表示部６において表示するようにしてもよい。
【符号の説明】
【００７０】
２…画像表示装置、４…装置本体、６…表示部、８…電源スイッチ、１０…スライドショーボタン、１２…メモリカード、１４…メモリカードスロット、２０…ＣＰＵ、２２…操作部、２４…駆動部、２８…ＲＯＭ、３０…ＲＡＭ、３２…ＶＲＡＭ、３４…バッテリ、３６…電源制御部、３８…無線通信部
【図１】
2012233934.tif 000003
【図２】
2012233934.tif 000004
【図３】
2012233934.tif 000005
【図４】
2012233934.tif 000006
【図５】
2012233934.tif 000007
【図６】
2012233934.tif 000008
【図７】
2012233934.tif 000009
【図８】
2012233934.tif 000010
【図９】
2012233934.tif 000011
【図１０】
2012233934.tif 000012
【図１１】
2012233934.tif 000013
【図１２】
2012233934.tif 000014
【図１３】
2012233934.tif 000015
【図１４】
2012233934.tif 000016
【図１５】
2012233934.tif 000017
【図１６】
2012233934.tif 000018
【図１７】
2012233934.tif 000019
【図１８】
2012233934.tif 000020
【図１９】
2012233934.tif 000021
【図２０】
2012233934.tif 000022
【図２１】
2012233934.tif 000023
【図２２】
2012233934.tif 000024
【図２３】
2012233934.tif 000025
【図２４】
2012233934.tif 000026
【図２５】
2012233934.tif 000027
【図２６】
2012233934.tif 000028
【図２７】
2012233934.tif 000029
【図２８】
2012233934.tif 000030